(57)【要約】【課題】洗い場でシャワーを浴びる際に、シャワーの飛び水が浴槽内に入ることのない浴室を提供する。【解決手段】浴槽２と対向する壁面４にシャワー付き水栓が設けられ、水栓が設けられた壁面４と直交する左右何れか又は左右両側の壁面１３，１４には、前記水栓用のシャワーヘッドを掛止できるシャワー用フック１５，１６が設けられている。【選択図】図１
2007319480.tif 000002
【特許請求の範囲】
【請求項１】
浴槽と対向する壁面にシャワー付き水栓が設けられ、該水栓が設けられた壁面と直交する左右何れか又は左右両側の壁面には、前記水栓用のシャワー用フックが設けられていることを特徴とする浴室。
【請求項２】
浴槽と対向する壁面にシャワー付き水栓が設けられ、該水栓が設けられた壁面において、該壁面の左右何れか又は左右両側のコーナーから水栓側に向かって２０ｃｍ以内に、前記水栓用のシャワー用フックが設けられていることを特徴とする浴室。
【発明の詳細な説明】
【技術分野】
【０００１】
本発明は、浴室に関するものである。
【背景技術】
【０００２】
従来、特許文献１に開示されているように、浴室に１つの水栓から２つの吐水口が設けられ、流路切替弁によって所望の吐水口から吐水することができるように構成されたものが存在する。
【特許文献１】特開２００２−２８２１６１号公報
【発明の開示】
【発明が解決しようとする課題】
【０００３】
上記特許文献１に開示されている浴室では、水栓が、浴槽と直交する洗い場側の壁面に設けられているため、このような水栓のシャワーを用いて洗い場でシャワーを浴びる際に、浴槽内にシャワー水が飛び散って入りやすいという問題点があった。
【課題を解決するための手段】
【０００４】
本発明は上記従来の問題点に鑑み案出したものであって、シャワー水が浴槽内に飛び散ることのない浴室を提供せんとするものであり、その請求項１は、浴槽と対向する壁面にシャワー付き水栓が設けられ、該水栓が設けられた壁面と直交する左右何れか又は左右両側の壁面には、前記水栓用のシャワー用フックが設けられていることである。
【０００５】
また、請求項２は、浴槽と対向する壁面にシャワー付き水栓が設けられ、該水栓が設けられた壁面において、該壁面の左右何れか又は左右両側のコーナーから水栓側に向かって２０ｃｍ以内に、前記水栓用のシャワー用フックが設けられていることである。
【発明の効果】
【０００６】
本発明の浴室は、浴槽と対向する壁面にシャワー付き水栓が設けられ、該水栓が設けられた壁面と直交する左右何れか又は左右両側の壁面には、前記水栓用のシャワー用フックが設けられていることにより、洗い場でシャワーを浴びる際等に、シャワーヘッドを水栓が設けられた壁面と直交する左右の壁面に設けたシャワー用フックに掛止して、洗い場に斜めにシャワー水を噴出させることができ、シャワー水が浴槽内に入りにくくなり、浴槽内にシャワー水が飛び散ることがなくなる。
【０００７】
また、浴槽と対向する壁面にシャワー付き水栓が設けられ、該水栓が設けられた壁面において、該壁面の左右何れか又は左右両側のコーナーから水栓側に向かって２０ｃｍ以内に、前記水栓用のシャワー用フックが設けられていることにより、浴槽と対向する壁面に設けられた水栓のシャワーヘッドを左右何れかのシャワー用フックに掛止して、斜め方向で洗い場にシャワー水を噴出させシャワーを浴びることができ、シャワー水が浴槽に飛び散らないように良好にシャワーを使用することができるものとなる。
【実施例１】
【０００８】
以下、本発明の実施例を図面に基づいて説明する。
図１は、第１実施例の浴室の内部構成図であり、浴室１内に設けられた浴槽２に対して洗い場３を隔てて対向する対向壁面４には、横長状の鏡５が設けられ、鏡５の下方に横方向にカウンター６が設置されており、このカウンター６内には１つの水栓が内装されている。
１つの水栓から左右側に分かれて左吐水口７ａと右吐水口７ｂがカウンターから垂下状に設けられており、左吐水口７ａの左側には、シャワーホース８ａを介してシャワー水を噴出させることのできる左シャワーヘッド９ａが設けられ、また、右吐水口７ｂの右側には、シャワーホース８ｂを介してシャワー水を噴出させることのできる右シャワーヘッド９ｂが設けられている。
【０００９】
また、左吐水口７ａの上部には、吐水・シャワー切替ハンドル１０ａが設けられ、右吐水口７ｂの上部にも、吐水・シャワー切替ハンドル１０ｂが設けられている。この吐水・シャワー切替ハンドル１０ａ，１０ｂ間には、カウンター６の前面に切替ハンドル１１と温調ハンドル１２が設けられている。
対向壁面４と直交する左壁面１３及び右壁面１４には、それぞれ左シャワーフック１５及び右シャワーフック１６が固設されており、左シャワーフック１５には左シャワーヘッド９ａを掛止できるものであり、右シャワーフック１６には右シャワーヘッド９ｂを掛止できるものである。なお、左シャワーフック１５及び右シャワーフック１６は、シャワーヘッドを掛止することで自動的にシャワーヘッドが斜め方向に向くように設定されている。
【００１０】
なお、切替ハンドル１１及び温調ハンドル１２は、図２に拡大して示すようなものとなっており、切替ハンドル１１は、左側の吐水口７ａ及び左シャワーヘッド９ａへ吐水させる時には、左方向に回して切り替えることができ、また、右吐水口７ｂ及び右シャワーヘッド９ｂ側へ吐水する時には、右側へ回して切り替えることができ、また、中央部の黒点に位置合わせすることで、左右両側に吐水させることができるものである。また、温調ハンドル１２は、左側へ回すことにより低温の温水を、右側へ回すことにより高温の温水を生成させることができるものである。
【００１１】
また、左右側の吐水・シャワー切替ハンドル１０ａ，１０ｂは、図３に示すような構造となっており、左側へ回すことでシャワーに切り替わり、右側へ回すことで吐水口からの吐水に切り替えることができるものであり、中央の黒点に位置合わせすることで止水することができるものである。
【００１２】
本例の浴室では、カウンター６に二人が並んで吐水及びシャワーを使用することができるものであり、温調ハンドル１２で適温に調整された温水が、切替ハンドル１１が黒点の位置にある状態で、左右それぞれの吐水・シャワー切替ハンドル１０ａ，１０ｂをそれぞれ吐水側（右側）へ回すことにより、左吐水口７ａ及び右吐水口７ｂから同時に吐水させて、二人が同時に温水を吐水させて使用することができ、また、吐水・シャワー切替ハンドル１０ａ，１０ｂをシャワー側（左側）へ回すことにより、左シャワーヘッド９ａ及び右シャワーヘッド９ｂから同時にシャワー水を噴出させて、二人が同時にシャワーを浴びることができるものである。
【００１３】
なお、図示左側の左吐水口７ａからのみ吐水させる場合には、切替ハンドル１１を左側へ回してＬに切り替え、吐水・シャワー切替ハンドル１０ａを吐水側（右側）へ回すことで左吐水口７ａのみから吐水させることができ、一人で使用する際には、このように左吐水口７ａのみから吐水させて使用できるものであり、また、一人でシャワーを浴びる場合には、切替ハンドル１１を左側へ切り替えて吐水・シャワー切替ハンドル１０ａをシャワー側（左側）へ回すことで、左シャワーヘッド９ａのみからシャワー水を噴出させて使用することができるものである。
なお、この左シャワーヘッド９ａ及び左吐水口７ａを一人の場合は主として使用することで、ドア１７の開閉が障害とならないものとなる。
【００１４】
なお、左シャワーフック１５に左シャワーヘッド９ａを掛止してシャワーを使用する際に、左壁面１３側から斜め方向に洗い場３にシャワー水が噴出され、左シャワーヘッド９ａからのシャワー水が浴槽２内に飛び散ることがなく、また、身体に当たったシャワー水も浴槽２内に飛び散ることが少なくなる。
同様に、右シャワーフック１６に右シャワーヘッド９ｂを掛止してシャワーを浴びる場合にも、右壁面１４側から斜め方向に洗い場３にシャワー水が噴出され、右シャワーヘッド９ｂからのシャワー水が浴槽２内に飛び散ることがなく、また、身体に当たったシャワー水も浴槽２内に飛び散ることが少なくなる。
【実施例２】
【００１５】
次に、図４及び図５は第２実施例を示すものであり、図４の浴室１は、浴槽２と対向する対向壁面４に、左右に分割して鏡５ａ，５ｂが設けられ、下方側にカウンター６が横設されており、このカウンター６内に１つの水栓が内装され、カウンター６の中央部に吐水口７が配置され、カウンター６の中央部からシャワーホース８を介してシャワーヘッド９が設けられ、このシャワーヘッド９は、鏡５ａ，５ｂ間の中央に設けられた低い位置のセンターシャワーフック１８に掛止できるように構成されている。
【００１６】
また、左壁面１３には左シャワーフック１５が固設されており、右壁面１４には右シャワーフック１６が固設されている。
前記シャワーヘッド９は、センターシャワーフック１８から取り外して左右の何れかのシャワーフック１５，１６に掛止できるように、シャワーホース８の長さが設定されている。
【００１７】
水栓を操作するために図５に示すように、カウンター６の前面に左側からシャワー流量スイッチ２０，吐水流量スイッチ１９，温調ハンドル１２が配設されており、温調ハンドル１２は、右へ回すと高温の湯となり、左へ回すと低温となるように調整できるものであり、吐水流量スイッチ１９は、指で押圧する毎にオンとオフが交互に切り替えられるタイプであり、オンすることで吐水口７から吐水させることができ、また、外周側を指で摘んで右側へ回すことにより吐水口７からの吐水量を増大させ、左側へ回すことにより吐水量を低減させることができるものである。
また、シャワー流量スイッチ２０も、指で押圧する毎にオンとオフが切り替わるものであり、オンすることでシャワーヘッド９からシャワー水を噴出させることができ、外周側を指で摘んで右側へ回転させることによりシャワーヘッド９からの吐水量を増大させ、左側へ回転させることでシャワーヘッド９からの吐水量を低減させることができるものである。
【００１８】
この図４のような構成においては、中央のセンターシャワーフック１８にシャワーヘッド９を掛止して、中央でシャワー水を噴出させることもでき、左シャワーフック１５或いは右シャワーフック１６の何れか側へシャワーヘッド９を掛止してシャワー水を噴出させて使用することもできるものである。
左シャワーフック１５或いは右シャワーフック１６にシャワーヘッド９を掛止する場合は、シャワーヘッド９から斜め方向に洗い場３にシャワー水が噴出され、シャワー水が浴槽２内に飛び散ることがなく、また、身体に当たったシャワー水も浴槽２内に飛び散ることが少なくなる。なお、左シャワーフック１５及び右シャワーフック１６は、シャワーヘッド９を掛止することで自動的にシャワーヘッド９が斜め方向に向くように設定されている。
【実施例３】
【００１９】
次に、図６は第３実施例を示すものであり、図６の浴室１の浴槽２と対向する対向壁面４には、中央部にテレビ２２が設けられており、その下方に、吐水口７とシャワーヘッド９を備えた水栓２１が設けられ、水栓２１の下方に平板状のカウンター６が横設されている。このカウンター６は、中央部が洗い場３側へ湾曲状に突出して桶載せ部６ａが形成されており、この桶載せ部６ａ上に洗面器を置いて吐水口７から洗面器内に良好に吐水できるものである。
【００２０】
また、テレビ２２の左側には左鏡５ａが、右側には右鏡５ｂが設けられており、左鏡５ａの上方には左照明ランプ２３ａが、また右鏡５ｂの上方には右照明ランプ２３ｂが設けられている。また、左鏡５ａの左側の左壁面１３に隣接したコーナー側には、高い位置に左シャワーフック１５が設けられており、右鏡５ｂの右側の右壁面１４に隣接するコーナー側にも右シャワーフック１６が設けられている。
【００２１】
この左右の左シャワーフック１５及び右シャワーフック１６の何れかにシャワーヘッド９を掛止できるように、シャワーホース８は長い寸法に設定されている。また、水栓２１の左右側にも、低い位置に左下シャワーフック２０ａと右下シャワーフック２０ｂが設けられており、それぞれのシャワーフック２０ａ，２０ｂにシャワーヘッド９を掛止できるように構成されている。
【００２２】
本例においても、カウンター６の桶載せ部６ａの左側および右側にそれぞれ人が並んで、二人が座った位置から身体を斜めに向けて良好に桶載せ部６ａ上の洗面器を使用でき、二人並んで吐水が使えるように構成されており、また、座った状態で左下シャワーフック２０ａにシャワーヘッド９を掛止して、シャワーヘッド９からシャワー水を噴出させて左側に座った人がシャンプー等を良好に行なうことができ、また、右下シャワーフック２０ｂにシャワーヘッド９を掛止することにより、右側に座った人が良好にシャンプー等を行なうことができるものである。
【００２３】
なお、さらにシャワーヘッド９を左シャワーフック１５に掛止して、高い位置からシャワー水を噴出させて全身にシャワーを浴びることができ、この時にシャワーフック１５にシャワーヘッド９を掛止すると、シャワーヘッド９が洗い場３に対し斜め方向を向くように設定されており、シャワーヘッド９からのシャワー水が洗い場３に斜め方向に噴出されて、浴槽２内にシャワー水等が飛び散ることがなくなる。また、右シャワーフック１６にシャワーヘッド９を掛止した場合も、同様に洗い場３に斜め方向にシャワーヘッド９が向くように設定されており、浴槽２内に水等が飛び散ることなく良好にシャワーを使用することができるものである。
【００２４】
なお、左シャワーフック１５及び右シャワーフック１６は、対向壁面４の左右のコーナーから２０ｃｍ以内の位置に設けておく。
これは、図７の浴室の平面作用説明図で示すように、水栓２１が設けられた対向壁面４の左右何れか又は左右両側のコーナーから水栓２１側に向かって２０ｃｍ以内に、シャワーフック１５，１６が設けられていると、成人男女の肩幅が大体４０〜５０ｃｍ程度なので、入浴者の腕の動く空間を考慮すると壁面１３，１４から人間の中心までは２５ｃｍ以上であるため、シャワーヘッド９を左右何れかのシャワーフック１５，１６に掛止して、必ず斜め方向で洗い場にシャワー水を噴出させることとなり、シャワー水が浴槽に飛び散らないようにシャワーを使用することができるのである。
【００２５】
なお、洗面器はカウンター６の下方の空間内にコンパクトに収納しておくことができ、その他、風呂の椅子も良好にカウンター６の下方の空間内に収納しておくことができるものである。
なお、一人で浴室１を使用する場合は、できる限り左シャワーフック１５或いは左下シャワーフック２０ａを主として使用することで、ドア１７が大きいドアでもぶつかることがないものとなる。
なお、ドア１７は引き戸或いは折り戸で構成しておけば、浴槽内への影響が小さいものとなる。
【００２６】
なお、一人で浴室１を使用する際に、左照明ランプ２３ａのみを点灯させて使用すれば、シャンプー等を行なう際には良好に洗い場３を明るく照らすことができ、十分な明るさが得られ、また、浴槽２付近は少し暗くなるため、落ち着いて浴槽２内で入浴できるものとなる。
なお、本例では、カウンター６の中央部に洗い場３側へ湾曲状に突出して桶載せ部６ａが形成されているため、この桶載せ部６ａの左右側ではカウンター６に極めて近づいた位置に使用者は座ることができるものとなる。
なお、本例では、右壁面１４にのみドア１７を設けているが、右壁面１４と左壁面１３の両方にドアを設け、左右の隣接する部屋が通り抜けできるものでも良い。
【図面の簡単な説明】
【００２７】
【図１】第１実施例の浴室の構成図である。
【図２】図１における切替ハンドルと温調ハンドルの拡大斜視図である。
【図３】図１における吐水・シャワー切替ハンドルの拡大斜視図である。
【図４】第２実施例の浴室の構成図である。
【図５】図４のシャワー流量スイッチと吐水流量スイッチと温調ハンドルの拡大斜視図である。
【図６】第３実施例の浴室の構成図である。
【図７】第３実施例の浴室の平面作用説明図である。
【符号の説明】
【００２８】
１  浴室
２  浴槽
３  洗い場
４  対向壁面
５  鏡
５ａ  左鏡
５ｂ  右鏡
６  カウンター
６ａ  桶載せ部
７  吐水口
７ａ  左吐水口
７ｂ  右吐水口
８ａ，８ｂ  シャワーホース
９  シャワーヘッド
９ａ  左シャワーヘッド
９ｂ  右シャワーヘッド
１０ａ，１０ｂ  吐水・シャワー切替ハンドル
１１  切替ハンドル
１２  温調ハンドル
１３  左壁面
１４  右壁面
１５  左シャワーフック
１６  右シャワーフック
１７  ドア
１８  センターシャワーフック
１９  吐水流量スイッチ
２０  シャワー流量スイッチ
２０ａ  左下シャワーフック
２０ｂ  右下シャワーフック
２１  水栓
２２  テレビ
２３ａ  左照明ランプ
２３ｂ  右照明ランプ
【図１】
2007319480.tif 000003
【図２】
2007319480.tif 000004
【図３】
2007319480.tif 000005
【図４】
2007319480.tif 000006
【図５】
2007319480.tif 000007
【図６】
2007319480.tif 000008
【図７】
2007319480.tif 000009